(57)【要約】【課題】可動接点付きシートに関し、良好なクリック感触を維持し、かつ防塵性と防滴性を備えたものを提供することを目的とする。【解決手段】円形の可動接点５の外形を位置規制する大きさの円形部分の４方向が拡大した形状の接点収容孔２２が設けられ、下面全面に粘着層２３を有するベースシート２１と、接点収容孔２２内に収容された上方凸形に膨らんだドーム状に形成された可動接点５と、下面の粘着層７で接点収容孔２２全体を塞いでベースシート２１の上面に粘着された矩形の小片シート６とからなる構成のものとした。【選択図】図１
2010192279.tif 000002
【特許請求の範囲】
【請求項１】
接点収容孔が設けられ、下面に粘着層を備えた樹脂フィルムからなるベースシートと、導電金属製で上方に膨らんだドーム状の可動接点を上記接点収容孔に収容状態にして上記ベースシートの上面に粘着された小片シートとを備えた可動接点付きシートであって、上記小片シートが上記接点収容孔上面を密閉して粘着され、上記接点収容孔はその内周の一部分で上記可動接点を位置規制し、残りの部分が上記可動接点より大きく形成されていることを特徴とする可動接点付きシート。
【請求項２】
小片シートが矩形で、可動接点が円形ドーム状で、接点収容孔は上記小片シートの角部方向に向けて内周部分が大きく広げられていることを特徴とする請求項１記載の可動接点付きシート。
【請求項３】
小片シートが、ポリプロピレン樹脂あるいはポリウレタン樹脂からなることを特徴とする請求項１記載の可動接点付きシート。
【発明の詳細な説明】
【技術分野】
【０００１】
本発明は、各種電子機器の操作部に使用されるパネルスイッチを構成する可動接点付きシートに関するものである。
【背景技術】
【０００２】
近年、各種電子機器の小型化、薄型化が進み、それら電子機器の操作部に用いられるパネルスイッチは、絶縁フィルムからなるシート部材下面に導電金属製でドーム状に形成された可動接点を保持させた可動接点付きシートを、固定接点を備えた配線基板の上に貼り付けて構成したものが、厚みが薄く、良好な操作感触が得られることで多く採用されている。
【０００３】
このような従来の可動接点付きシートについて、図５〜図７を用いて説明する。
【０００４】
図５は従来の可動接点付きシートの分解斜視図、図６は図５内のＳ−Ｓ線断面図であり、同図において、１は下面に粘着層３を備えた絶縁フィルムからなるベースシートで、円形の接点収容孔２が設けられている。
【０００５】
５は上方凸形に膨らんだ円形ドーム状をした弾性金属薄板製の可動接点であり、上記ベースシート１の接点収容孔２内に収容されている。
【０００６】
６は下面の粘着層７により上記接点収容孔２を塞ぐように上記ベースシート１の上面に粘着された絶縁フィルムからなる矩形の小片シートであり、この小片シート６は、ベースシート１との間に細幅帯状の中間シート８を挟み込んで粘着されている。ここに、中間シート８は粘着層を備えていないもののため、中間シート８下面とベースシート１との間は粘着されていない。
【０００７】
以上のように従来の可動接点付きシート１０は構成されている。なお、同図では示していないが、この可動接点付きシート１０は、ベースシート１下面の粘着層３や可動接点５に塵埃等の異物が付着することを防ぐため、保護シートをベースシート１下面全面に貼り付けて保管、輸送がなされる。
【０００８】
次に、この可動接点付きシート１０を用いて構成したパネルスイッチについて、図７の従来の可動接点付きシートを実装した状態の断面図を用いて説明する。
【０００９】
図７において、１１は、その上面に中央接点１２と外側接点１３を１組とする固定接点が所定の複数箇所に設けられた配線基板であり、その配線基板１１上に、可動接点５の外周下端を外側接点１３上に載置状態として、可動接点付きシート１０がベースシート１下面の粘着層３で配線基板１１上に貼り付けられている。その状態で、中央接点１２は可動接点５の中央部下面と間隔をあけて対面し、上記１組の中央接点１２、外側接点１３と可動接点５で１つのスイッチが構成されている。
【００１０】
このように構成されたパネルスイッチにおいて、小片シート６の上方から可動接点５の中央部に対応した位置を押圧すると、小片シート６および中間シート８を介して可動接点５に押下力が加わり、所定の押下力を超えると、小片シート６や中間シート８と共に可動接点５がクリック感を伴って弾性反転して、中央部下面が下方の中央接点１２に接触する。つまり、可動接点５を介して、中央接点１２と外側接点１３との間が電気的に導通する。
【００１１】
その後、小片シート６に加えていた押圧力を解除すると、可動接点５自身の弾性復帰力により、可動接点５がクリック感を伴って元の上方凸形に弾性復帰し、中央接点１２と外側接点１３との間が電気的に絶縁状態となる。
【００１２】
ここに、従来品では、上記押圧操作時に、可動接点５の弾性反転、弾性復帰動作による可動接点５のドーム状の下方に位置した空気の圧縮、膨張に応じて接点収容孔２の内外で空気の流出入がなされるように、小片シート６下面に中間シート８を介在させて、ベースシート１の接点収容孔２が密閉されていないものとしていたため、可動接点５の動作が抑制されることなく良好なクリック感触を有したパネルスイッチが得られるものであった。
【００１３】
なお、この出願の発明に関連する先行技術文献情報としては、例えば、特許文献１、特許文献２が知られている。
【特許文献１】特開２００３−１５１３９３号公報
【特許文献２】特開平８−２９８０４５号公報
【発明の開示】
【発明が解決しようとする課題】
【００１４】
しかしながら上記従来の可動接点付きシート１０は、小片シート６下方に中間シート８を介在させてベースシート１上に粘着させた構成であったため、ベースシート１の接点収容孔２内の空気が中間シート８下面部分を介して流出入可能で良好なクリック感触が得られるものであったが、この空気の流出入に伴って外方の塵埃が接点収容孔２内に流入する恐れもあり、併せて防滴性についても改善の要望があった。
【００１５】
本発明は、このような従来の課題を解決するものであり、良好なクリック感触を維持し、防塵性と防滴性を備えた可動接点付きシートを提供することを目的とする。
【課題を解決するための手段】
【００１６】
上記目的を達成するために本発明は、以下の構成を有するものである。
【００１７】
本発明の請求項１に記載の発明は、接点収容孔が設けられ、下面に粘着層を備えた樹脂フィルムからなるベースシートと、導電金属製で上方に膨らんだドーム状の可動接点を上記接点収容孔に収容状態にして上記ベースシートの上面に粘着された小片シートとを備えた可動接点付きシートであって、上記小片シートが上記接点収容孔上面を密閉して粘着され、上記接点収容孔はその内周の一部分で上記可動接点を位置規制し、残りの部分が上記可動接点より大きく形成されていることを特徴とする可動接点付きシートとしたものであり、接点収容孔は可動接点を位置規制しつつ、小片シートに覆われた範囲内で接点収容孔内の容積が拡大されているため、押圧操作による可動接点のドーム状下方の空気の圧縮、膨張が緩和されて良好なクリック感触が得られるものにでき、接点収容孔の上面は小片シートで密閉されているため、防塵性と防滴性を備えた可動接点付きシートを提供することができるという作用を有する。
【００１８】
請求項２に記載の発明は、請求項１記載の発明において、小片シートが矩形で、可動接点が円形ドーム状で、接点収容孔が上記小片シートの角部方向に向けて内周部分が大きく広げられていることを特徴とするものであり、円形の可動接点および矩形の小片シートを用いる場合に、接点収容孔を効率よく大きく設けることができて、良好なクリック感触が得られるものにできるという作用を有する。
【００１９】
請求項３に記載の発明は、請求項１記載の発明において、小片シートが、ポリプロピレン樹脂あるいはポリウレタン樹脂からなることを特徴とするものであり、可撓性がよく、可動接点の反転、復帰動作への小片シートの撓みの影響が抑えられるため、さらに良好なクリック感触が得られるものにできるという作用を有する。
【発明の効果】
【００２０】
以上のように本発明によれば、良好なクリック感触を維持して、防塵性と防滴性を備えた可動接点付きシートを提供することができるという有利な効果が得られる。
【発明を実施するための最良の形態】
【００２１】
以下、本発明の実施の形態について、図１〜図４を用いて説明する。なお、従来の技術の項で説明した構成と同一構成の部分には同一符号を付して、詳細な説明を簡略化する。
【００２２】
（実施の形態）
図１は本発明の一実施の形態による可動接点付きシートの平面図、図２は同分解斜視図、図３は図１内のＲ−Ｒ線断面図であり、同図において、２１は下面全面に粘着層２３が設けられたポリエチレンテレフタレート樹脂（ＰＥＴ樹脂）フィルムからなるベースシートで、所定位置に上面視円形の４方向が拡大した形状に形成された接点収容孔２２が設けられている。
【００２３】
５はりん青銅などの銅合金板、ステンレス鋼板などの弾性金属薄板を用いて上方凸形に膨らんだドーム状に形成された円形の可動接点で、ベースシート２１の接点収容孔２２内に収容されている。
【００２４】
６は下面に粘着層７を備えたＰＥＴ樹脂フィルムからなる矩形の小片シートで、下面の粘着層７で接点収容孔２２全体を塞いでベースシート２１の上面に粘着されると共に、その粘着層７で可動接点５の上面中央部も粘着保持して可動接点５を位置決めしている。
【００２５】
上記接点収容孔２２は、小片シート６で上方を密閉状態に塞がれ、小片シート６の矩形の４つの角部方向にそれぞれ対応する部分が大きく拡がった孔形状で形成されており、円形孔の残りの円弧部分は可動接点５の外周を位置規制している。
【００２６】
以上のように可動接点付きシート３０は構成されている。なお、図示はしないが、ベースシート２１下面の粘着層２３および可動接点５への塵埃付着を防止するため、ＰＥＴ樹脂フィルムなどからなる保護シートをベースシート２１の粘着層２３で下面全面を覆って粘着させて、保管、搬送等がなされることは従来同様である。
【００２７】
上記のように構成された可動接点付きシート３０は、図４の実装した状態の断面図に示すように、電子機器の配線基板上に実装されて用いられる。
【００２８】
図４において、１１は上面に固定接点を備えた配線基板であり、その固定接点は、中央接点１２とその中央接点１２から所定距離離されて設けられた外側接点１３とを１組とされて、それが所定箇所に複数組設けられている。
【００２９】
この配線基板１１上に、可動接点付きシート３０はベースシート２１下面の粘着層２３で粘着固定されて装着され、その状態で各可動接点５は、外周下端が外側接点１３上に載置され、中央接点１２は、可動接点５の中央部下面から間隔を空けて対面して、１組の固定接点と１つの可動接点５とで１つのスイッチが構成され、全体としてパネルスイッチが構成されている。
【００３０】
このように構成されたパネルスイッチにおいて、小片シート６の上方から可動接点５の中央部に対応した位置を押圧すると、小片シート６を介して可動接点５に押下力が加わって、所定の力を超えると小片シート６と共に可動接点５のドーム状中央部がクリック感を伴って下方凸形に弾性反転し、中央部下面が対面した下方の中央接点１２に接触する。
【００３１】
これにより、可動接点５を介して中央接点１２と外側接点１３が電気的に導通した状態、つまりスイッチオンとなる。
【００３２】
この可動接点５が押圧操作されて弾性反転する際に、可動接点５のドーム状下方の空気は圧縮されるが、接点収容孔２２が可動接点５の円形形状より拡げられた外側への４つの突出部を有する形状に設けられて、全体として接点収容孔２２内の容積が大きくなされているため、この圧縮による可動接点５のクリック感触への影響を抑えて良好なクリック感触が得られるものとなる。
【００３３】
その後、上記押圧力を解除すると、可動接点５自身の弾性復帰力によって、ドーム状の中央部がクリック感を伴って元の上方凸形に弾性復帰し、これにより中央接点１２と外側接点１３との間が電気的に絶縁状態、つまりスイッチオフに戻る。
【００３４】
この可動接点５の弾性復帰の際には、ドーム状下方に空気が流入されるため、負圧が生じるが、この弾性復帰動作においても接点収容孔２２内の容積が大きくなされているため、負圧によるクリック感触への影響を抑えられて良好なクリック感触を得ることができる。
【００３５】
このように本実施の形態によれば、スイッチオン・オフ動作に際し、可動接点５が弾性反転と弾性復帰動作をして、可動接点５下方のドーム状部分と配線基板１１上面との間に挟まれた空気の圧縮、膨張が生じても、接点収容孔２２を可動接点５の外形より大きく設けているため、可動接点５下方のドーム状部分の空気が接点収容孔２２内で自由に移動してクリック感触の鈍化を抑えることができる。
【００３６】
また、接点収容孔２２の上部を密閉状態に小片シート６が覆っているので、小片シート６とベースシート２１との間に隙間がなく、防塵性・防滴性が図れた可動接点付きシート３０とすることができる。
【００３７】
なお、小片シート６を矩形とすれば、その角部方向に接点収容孔２２の拡大部分を設け易くて好ましい。つまり、円形の可動接点５であれば、上記角部方向側に所定領域があくようになるため、その領域部分を有効活用して接点収容孔２２の拡大部分を効率よく大きく配設することができる。言い換えると、そのような領域を確保できる小片シートの形状としてそこに接点収容孔の拡大部分を形成するようにすればよい。また、上記には矩形の小片シート６を用いた構成事例として４つの拡大部分を設けた接点収容孔２２のものを説明したが、拡大部分の配設数は４つに限られることはない。
【００３８】
そして、可動接点５の形状も、円形のみに限られず、円形の対向する両端を切り欠いた帯形、多角形など用途に応じた形状であってもよく、用いる可動接点５の形状に合わせてベースシートの接点収容孔を小片シートの大きさの許容範囲以内で大きく設ければよい。
【００３９】
また、上述のＰＥＴ樹脂フィルムからなる小片シートをポリプロピレン樹脂フィルムあるいはポリウレタン樹脂フィルム製とすれば、小片シートの可撓性が向上するため、押圧操作等による可動接点の反転動作および復帰動作に及ぼす小片シートの撓みの影響が抑えられて、さらに良好なクリック感触が得られるものに構成することができる。
【産業上の利用可能性】
【００４０】
本発明による可動接点付きシートは、良好なクリック感触を維持して、防塵性と防滴性を備えたものを提供することができるという有利な効果を有し、各種電子機器の操作部等に有用である。
【図面の簡単な説明】
【００４１】
【図１】本発明の一実施の形態による可動接点付きシートの平面図
【図２】同分解斜視図
【図３】図１内のＲ−Ｒ線断面図
【図４】同実施状態の断面図
【図５】従来の可動接点付きシートの分解斜視図
【図６】図５内のＳ−Ｓ線断面図
【図７】同実装状態の断面図
【符号の説明】
【００４２】
５  可動接点
６  小片シート
７，２３  粘着層
１１  配線基板
１２  中央接点
１３  外側接点
２１  ベースシート
２２  接点収容孔
３０  可動接点付きシート
【図１】
2010192279.tif 000003
【図２】
2010192279.tif 000004
【図３】
2010192279.tif 000005
【図４】
2010192279.tif 000006
【図５】
2010192279.tif 000007
【図６】
2010192279.tif 000008
【図７】
2010192279.tif 000009